(57)【特許請求の範囲】
【請求項１】
立体視的な投射システムであって、
第一のチャンネルの第一のステージのイメージャ及び第二のチャンネルの第一のステージのイメージャ、各々が、前記イメージャの各々のピクセルへ提供されたグレースケールの値に比例するピクセル毎の基準で偏光させられた光の入力を変調するように、前記光の偏光を回転させるように、及び、変調された光のピクセルのマトリックスを反射させるように構成されたこと；
第一のチャンネルの第二のステージのイメージャ及び第二のチャンネルの第二のステージのイメージャ、各々が、前記イメージャの各々のピクセルに提供されたグレースケールの値に比例するピクセル毎の基準で光の変調されたピクセルのマトリックスを変調するように、前記光の偏光を回転させるように、及び、二回変調された光のピクセルのマトリックスを反射させるように構成されたこと；
前記第二のステージのイメージャの対応するピクセルへとピクセル毎の基準で前記第一のステージのイメージャからの前記変調された光のピクセルのマトリックスを集束させるように構成されたリレーレンズシステム；
反対に偏光させられた光の入力へと光の入力を偏光させるように、それぞれ前記第一のチャンネルの第一のステージのイメージャ及び前記第二のチャンネルの第一のステージのイメージャへと前記反対に偏光させられた光の入力を方向付けるように、並びに、前記第一のチャンネルの第一のステージのイメージャ及び前記第二のチャンネルの第一のステージのイメージャから前記リレーレンズシステムへと前記変調された光のピクセルのマトリックスを方向付けるように構成された第一の偏光ビームスプリッター；並びに
前記第一のチャンネルの第一のステージのイメージャ及び前記第二のチャンネルの第一のステージのイメージャから、それぞれ、前記第一のチャンネルの第二のステージのイメージャ及び前記第二のチャンネルの第二のステージのイメージャへと前記変調された光のピクセルの反対に偏光させられたマトリックスを方向付けるように、並びに、前記第二のステージのイメージャから投射レンズシステムへと前記二回変調された光のピクセルのマトリックスを方向付けるように構成された第二の偏光ビームスプリッター
：を含む、立体視的な投射システム。
【請求項２】
請求項１に記載の立体視的な投射システムにおいて、
前記第一のチャンネルのイメージャ及び前記第二のチャンネルのイメージャは、前記立体視的な投射システムの明るさ及びコントラストを強調するように同じ信号でアドレス指定される、立体視的な投射システム。
【請求項３】
請求項１に記載の立体視的な投射システムにおいて、
三次元のイメージを提供するように、前記第一のチャンネルのイメージャは、観察者の第一の目を対象としたビデオ信号でアドレス指定されると共に、前記第二のチャンネルのイメージャは、前記観察者の第二の目を対象としたビデオ信号でアドレス指定される、立体視的な投射システム。
【請求項４】
請求項３に記載の立体視的な投射システムであって、
前記第一のチャンネル及び前記第二のチャンネルからの前記イメージを観察するように構成された反対に偏光させるレンズをさらに含む、立体視的な投射システム。
【請求項５】
請求項１に記載の立体視的な投射システムにおいて、
前記リレーレンズシステムは、二重のガウスのリレーレンズセットを含む、立体視的な投射システム。
【請求項６】
立体視的な投射システムであって、
第一のステージのＬＣＯＳイメージャ及び第二のステージのＬＣＯＳイメージャを有する第一のチャンネル；
第一のステージのＬＣＯＳイメージャ及び第二のステージのＬＣＯＳイメージャを有する第二のチャンネル；
前記第一のチャンネルの第一のステージのＬＣＯＳイメージャへと第一の偏光の光を方向付けるように、及び、前記第二のチャンネルの第一のステージのＬＣＯＳイメージャへと前記第一の偏光と反対の第二の偏光の光を方向付けるように構成された第一の偏光ビームスプリッター；並びに
前記第一のチャンネルの第二のステージのＬＣＯＳイメージャへと前記第二の偏光の光を方向付けるように、及び、前記第二のチャンネルの第二のステージのＬＣＯＳイメージャへと前記第一の偏光の光を方向付けるように構成された第二の偏光ビームスプリッター
：を含む、立体視的な投射システム。
【請求項７】
請求項６に記載の立体視的な投射システムにおいて、
前記第一のチャンネルのＬＣＯＳイメージャ及び前記第二のチャンネルのＬＣＯＳイメージャは、強調させられた光の強度を備えた共通のイメージを投射するように同じビデオ信号でアドレス指定される、立体視的な投射システム。
【請求項８】
請求項６に記載の立体視的な投射システムにおいて、
前記第一のチャンネルのＬＣＯＳイメージャ及び前記第二のチャンネルのＬＣＯＳイメージャは、立体視的な観察を提供するように異なるビデオ信号でアドレス指定される、立体視的な投射システム。
【請求項９】
請求項６に記載の立体視的な投射システムであって、
ピクセル毎の基準で前記第一のステージのＬＣＯＳイメージャ及び前記第二のステージのＬＣＯＳイメージャの両方の出力を方向付けるリレーレンズシステムをさらに含む、立体視的な投射システム。
【請求項１０】
請求項９に記載の立体視的な投射システムにおいて、
前記リレーレンズシステムは、二重のガウスのリレーレンズセットを含む、立体視的な投射システム。
【請求項１１】
請求項９に記載の立体視的な投射システムであって、
観察スクリーンへ前記第一のチャンネルのイメージ及び前記第二のチャンネルのイメージの両方を投射するための投射レンズをさらに含む、立体視的な投射システム。
【請求項１２】
請求項１１に記載の立体視的な投射システムであって、
前記第一の偏光ビームスプリッターへランダムな極性の光を提供する照明システムをさらに含む、立体視的な投射システム。
【発明の詳細な説明】
【技術分野】
【０００１】
本発明は、一般的に、光投射系に、より詳しくは、高いコントラストの立体投射系に関する。
【背景技術】
【０００２】
液晶ディスプレイ（ＬＣＤ）及び特に反射型の光エンジン又はイメージャを使用するシリコン上の液晶（ＬＣＯＳ）系は、ますます、背面映写テレビジョン（ＲＰＴＶ）のような撮像デバイスにおいて普及したものになっている。ＬＣＯＳ系においては、投射された光を、偏光ビームスプリッター（ＰＢＳ）によって偏光させると共にＬＣＯＳイメージャ又はピクセルのマトリックスを含む光エンジン上へ方向付ける。この明細書のいたるところで、且つ、関連技術の実際と矛盾がなく、用語のピクセルは、画像の小さいエリア又はドット、光の透過の対応する部分、及びその光の透過を生じさせるイメージャの部分を明示するために、使用される。
【０００３】
イメージャの各々のピクセルは、不連続の変調された光の信号又はピクセルのマトリックスを形成するためのイメージャ又は光エンジンに対するグレースケールの因子の入力に従って、それに入射する光を変調する。変調された光の信号のマトリックスは、イメージャから反射させられる又は出力されると共に、視認可能な画像を形成するために光のピクセルを組み合わせる表示画面上へ、変調された光を投射する投射レンズの系に方向付けられる。この系において、ピクセルからピクセルへのグレースケールの変動は、画像の信号を処理するために使用されるビットの数によって制限される。明るい状態（即ち、最大の光）から暗い状態（最小の光）までのコントラストの比は、イメージャにおける光の漏出によって制限される。
【０００４】
既存のＬＣＯＳ系の主要な不都合の一つは、暗い状態での光の量を減少させることにおける困難性、及び、顕著なコントラストの比を提供することにおける結果として生じる困難性である。それは、部分的には、光の漏出により、ＬＣＯＳ系においては固有のことである。
【０００５】
加えて、入力が、光の全目盛りを記述しなければならない、一定の数のビット（例えば、８、１０など）であるので、ピクチャのより暗いエリアにおける微妙な差を記述するために利用可能なビットがほとんどない傾向がある。これは、等高線を描く偽信号に至り得る。
【０００６】
暗い状態でのＬＣＯＳにおけるコントラストを強調するための一つのアプローチは、その特定のフレームにおける最大値に基づいてピクチャの全体を拡大縮小するために、ＣＯＬＯＲＳＷＩＴＣＨ（商標）又は類似のデバイスを使用することである。これは、いくつかのピクチャを改善するが、高い及び低い光のレベルを含有するピクチャについてはほとんどしない。その問題を解決するための他の試行は、より良好なイメージャーを作ることなどに方向付けられてきたが、これらは、最良の増加の改善にある。
【０００７】
立体投射系は、例えば、観察者の目に、異なる反対に偏光した画像を提供することによって、三次元の画像を作り出すための３Ｄ劇場に使用される。ＬＣＯＳイメージャの系において、偏光した光を、変調のためにＬＣＯＳイメージャに提供しなければならない。反対に偏光した光は、典型的には、使用されない。代わりに、それは、投射の経路から離れるように方向付けられる。
【０００８】
必要とされるものは、特に暗い状態でビデオ画像についてのコントラストの比を強調すると共に等高線を描く偽信号を減少させる立体投射系である。
【発明の開示】
【発明が解決しようとする課題】
【０００９】
本発明は、反対に偏光した光の信号の両方を利用する、特に暗い状態でビデオ画像についてのコントラストの比を強調する、及び等高線を描く偽信号を減少させる、立体投射系を提供する。
【課題を解決するための手段】
【００１０】
立体投射系は、各々が、ピクセル毎の基準で光を変調する二つのＬＣＯＳイメージャを有する、二つのチャンネルを含む。第一の偏光ビームスプリッターは、第一チャネルの第一段階のＬＣＯＳイメージャ上へ第一の偏光の光を方向付けると共に第二チャンネルの第一段階のＬＣＯＳイメージャ上へ第一の偏光と反対の第二の偏光の光を方向付けるように、構成される。リレーレンズ系は、第二の偏光ビームスプリッターの中へ第一段階のイメージャの出力を方向付ける。第二の偏光ビームスプリッターは、第一チャンネルの第二段階のＬＣＯＳイメージャ上へ第二の偏光の光を方向付けると共に第二チャンネルの第二段階のＬＣＯＳイメージャ上へ第一の偏光の光を方向付けるように、構成される。光の両方の偏光が、立体投射系のいたるところで使用されるので、より大きい照明の効率が、達成されることもある。各々のチャンネルが、二つの段階で変調されるのだから、より大きいコントラスト及びアドレス指定する深さが、達成されることもある。
【発明を実施するための最良の形態】
【００１１】
今、本発明を、添付する図を参照して記載することにする。
【００１２】
本発明は、二つの段階の立体投射系を提供する。図１に図説するような、本発明の例示的な実施形態において、二つの段階の立体投射系は、二つの第一段階のイメージャ１０、２０及び二つの第二段階のイメージャ３０、４０を含む。第一段階のイメージャ１０、２０は、第一チャンネルの第一段階のイメージャ１０及び第二チャンネルの第一段階のイメージャ２０を含み、それらのイメージャは、反対に偏光した光ビームを受けるために、第一の偏光ビームスプリッター６０に近接して位置決めされると共に、偏光した光のピクセルのマトリックスを提供するために、偏光した光ビームを変調するように構成される。第二段階のイメージャ３０、４０は、第二の偏光ビームスプリッター７０に近接して位置決めされた第一チャンネルの第二段階のイメージャ３０及び第二チャンネルの第二段階のイメージャ４０を含むと共に、二度目に各々の偏光又はチャンネルを動的に変調することによって、対応する第一段階のイメージャ１０、２０から偏光した光のピクセルのマトリックスのコントラストを増大させるために使用され、それによって付加的なイメージャで黒の状態を制御する。このように、図１に図説した投射系は、同時に、高いコントラスト、アドレス指定する深さ、偏光の回復、及び３Ｄの可視化を活用する。
【００１３】
図１に図説した例示的な投射系において、照明系２は、第一の偏光ビームスプリッター６０に無作為に偏光した光を提供する。照明系２は、光を放出する、（示してない）ランプ、ランプによって放出された光を収集すると共に第一の偏光ビームスプリッター６０に向かって光を方向付ける、ライトパイプ又はフライアイレンズのような（示してない）積分器、色をスクロールするための又は（示してない）視野の一連の色の発生のための系、及び照明を投射するための（示してない）リレーレンズを含む。
【００１４】
照明系２からの（図２に示す）無作為に偏光した光３は、偏光ビームスプリッター６０の第一の面６１に入る。無作為に偏光した光は、第一の偏光ビームスプリッター６０の偏光面６２によって、（図２に示す）ｓ−偏光した光のビーム７及び（図２に示す）ｐ−偏光した光のビーム５に、偏光させられる。ｓ−偏光した光のビーム７は、第一の偏光ビームスプリッター６０の第二の面６３を通じて、及び、第一チャンネルの第一段階のＬＣＯＳイメージャ１０上へ、偏向させられる。第一チャンネルの第一段階のＬＣＯＳイメージャ１０は、そのピクセルについてのイメージャへ提供されたグレースケールの値に従って、それらに入射する光を個々に変調するピクセルの行例を含む。イメージャに入射する光を、九十度回転させると共にイメージャによって反射させる。このように、第一チャンネルの第一段階のＬＣＯＳイメージャは、第一の偏光ビームスプリッター６０の第二の面６３を通じて逆戻りのｐ−偏向した光を含む、（図２に示す）変調された光のピクセル１５の第一のチャンネルのマトリックスを方向付ける。そして、変調されたピクセル１５の第一のチャンネルのマトリックスは、第一の偏光ビームスプリッター６０の偏光させる表面６２及び第四の面６５を通過する。
【００１５】
ｐ−偏光した光５のビームは、偏光させる表面６２及び第三の面６４を通じて、及び、第二チャンネルの第一段階のＬＣＯＳイメージャ２０上へ、通過する。また、第二チャンネルの第一段階のＬＣＯＳイメージャ２０は、そのピクセルについてのイメージャに提供されたグレースケールの値に従って、それらに入射する光を個々に変調するピクセルのマトリックスを含む。イメージャに入射する光を、九十度回転させると共に、イメージャによって反射させる。このように、第二チャンネルの第一段階のＬＣＯＳイメージャ２０は、第一の偏光ビームスプリッター６０の第三の面６４を通じて逆戻りにｓ−偏光した光を含む、（図２に示す）変調された光のピクセル２５の第二チャンネルのマトリックスを方向付ける。そして、変調された光のピクセル２５のｓ−偏光した第二のチャンネルのマトリックスを、第一の偏光ビームスプリッター６０の第四の面６５を通じて、偏光させる表面６２によって偏向させる。
【００１６】
変調されたピクセル１５の第一のチャンネルのマトリックス及び変調された光のピクセル２５の第二のチャンネルのマトリックスを、同時に、ピクセル毎の基準で第一の段階のイメージャからの変調された光のピクセルのマトリックスを、第二の段階のイメージャの対応するピクセル上へ集束させるように構成されたリレーレンズ系８０によって集束させる。リレーレンズ系は、約−１の倍率及び高度に正方形に入れられたエネルギーを提供し、それによって第一の段階のイメージャ１０、２０における特定のピクセルからの大きい百分率の光のエネルギーは、第二の段階のイメージャの対応するピクセルの正方形のエリア内に入れられる。例示的な実施形態において、このリレーレンズ系８０は、二重ガウスレンズの組みを含み、その組みは、好ましくは、対称的であると共に、色消しレンズの間におけるレンズの絞り８３と共に、一組みのガラスの色消しレンズ８２、８４を囲む一組みの非球面のアクリルのレンズ８１、８５からなる。適切なレンズの表面を、ＺＥＭＡＸ（商標）のソフトウェアを使用して、開発することができる。例示的なレンズ系は、ここでは参照によって組み込まれる米国特許出願（代理人の整理番号ＰＵ０２０４７３）に記載される。
【００１７】
リレーレンズ系８０は、ピクセル毎の基準で、第一の段階のイメージャ１０、２０からの変調された光のピクセル１５、２５のマトリックスを、第二の偏光ビームスプリッター７０を通じて、第二の段階のイメージャ３０、４０の対応するピクセルに集束させるために、構成される。レンズ系８０は、それに応じて、第一の偏光ビームスプリッター６０及び第二の偏光ビームスプリッター７０の間に位置決めされる。
【００１８】
光のピクセル１５の第一のチャンネルの変調されたマトリックスは、第一の面７１を通じて、第二の偏光ビームスプリッター７０に入ると共に、それは、ｐ−偏光した光であるのだから、それは、第一チャンネルの第二段階のＬＣＯＳイメージャ３０上へ偏光させる表面７２及び第二の面７３を通過する。第一チャンネルの第二段階のＬＣＯＳイメージャ３０は、そのピクセルについてのイメージャに提供されたグレースケールの値に従って、それらに入射する光を個々に変調するピクセルのマトリックスを含む。イメージャに入射する光を、九十度回転させると共にイメージャによって反射させる。このように、第一チャンネルの第二段階のＬＣＯＳイメージャ３０は、第二の偏光ビームスプリッター７０の第二の面７３を通じて逆戻りのｓ−偏光した光を含む、（図２に示す）二回変調された光のピクセル３５の第一のチャンネルのマトリックスを方向付ける。そして、二回変調されたピクセル３５の第一のチャンネルのマトリックスを、第二の偏光ビームスプリッター７０の第四の面７５を通じて、偏光させる表面７２によって、偏向させる。
【００１９】
第一チャンネルの第一段階のＬＣＯＳイメージャ１０の各々のピクセルの出力を、第一チャンネルの第二段階のイメージャ３０の対応するピクセル上へ集束させるのだから、第一チャンネルの第二段階のイメージャ３０の各々のピクセルの出力は、一度は第一チャンネルの第一段階のＬＣＯＳイメージャ１０によって、及び、重ねて第一チャンネルの第二段階のイメージャ３０によって、二回変調される。第一の段階のイメージャ及び第二の段階のイメージャの組み合わせの利点は、それが、チャンネルのコントラストを増大させることである。一つのイメージャ及びイメージャのまわりで使用される光学系を使用するコントラストが、ｃであったとすれば、二つの段階の系を使用するものは、ｃ２のコントラストに帰着する。別の利点は、一つのイメージャについてアドレス指定する深さが、８ビットであるとすれば、二つのイメージャを使用することは、アドレス指定について１６ビットのレベルを取得する、よって、等高線を描くこと及びさらに画像処理を改善する、利点に帰着することである。
【００２０】
光のピクセル２５の第二のチャンネルの変調されたマトリックスは、第一の面７１を通じて、第二の偏光ビームスプリッター７０に入ると共に、それは、ｓ−偏光した光であるのだから、それは、第二チャンネルの第二段階のＬＣＯＳイメージャ４０上へ、第三の面７４を通じて、偏光させる表面７２によって偏向させられる。第二チャンネルの第二段階のＬＣＯＳイメージャ３０は、そのピクセルについてのイメージャに提供されたグレースケールの値に従って、それらに入射する光を個々に変調するピクセルのマトリックスを含む。イメージャに入射する光を、九十度回転させると共にイメージャによって反射させる。このように、第二チャンネルの第二段階のＬＣＯＳイメージャ４０は、第二の偏光ビームスプリッター７０の第三の面７４を通じた逆戻りのｐ−偏光した光を含む、（図２に示す）二回変調された光のピクセル４５の第二のチャンネルのマトリックスを方向付ける。そして、二回変調されたピクセル４５の第二のチャンネルのマトリックスは、第二の偏光ビームスプリッター７０の偏光させる表面７２及び第四の面７５を通過する。
【００２１】
第一のチャンネルと同様に、第二チャンネルの第一段階のＬＣＯＳイメージャ２０の各々のピクセルの出力を、第二チャンネルの第二段階のイメージャ４０の対応するピクセル上へ集束させる。このように、第二チャンネルの第二段階のイメージャ４０の各々のピクセルの出力は、一度は第二チャンネルの第一段階のＬＣＯＳイメージャ２０によって、及び、重ねて第二チャンネルの第二段階のイメージャ４０によって、二回変調される。
【００２２】
本発明の一つの例示的な実施形態において、第一のチャンネルのイメージャ１０、３０は、第二のチャンネルのイメージャ２０、４０と同じビデオ信号でアドレス指定される。このように、第一の偏光ビームスプリッター６０からの第二の極性の光ビームは、第二のチャンネルによって再利用されると共に、視認可能な画像の強度又は明るさは、光の一つの偏光が使用されない、単一のチャンネルの二段階の投射システムの視認可能な画像のレベルの約二倍である。この実施形態において、光の第二のチャンネル又は極性の再利用により、視認可能な画像における光の同じレベルを達成するためにランプからの光をあまり必要としないのだから、ランプの寿命を、増加させることができる。
【００２３】
本発明の代替の実施形態において、第一のチャンネルのイメージャ１０、３０は、観察者の第一の目を対象として第一のビデオ信号でアドレス指定されると共に、第二のチャンネルイメージャ２０、４０は、観察者の第二の目を対象として第二のビデオ信号でアドレス指定される。光３５の二回変調された第一のチャンネルのピクセルのマトリックス及び光４５の二回変調された第二のチャンネルのピクセルのマトリックスは、直交する偏光と共に投射レンズ系４によって（示してない）スクリーンに投射される。三次元（３Ｄ）の観察系が、提供され、ここで、一方のチャンネルが、他方のチャンネルが、第二の目を対象としてビデオ信号でアドレス指定される一方で、一つの目を対象としてビデオ信号でアドレス指定される。観察者によって着用された偏光ゴーグルは、立体的な観察に帰着する、各々の目について右の画像を選択する。
【００２４】
本発明は、いくつかの利点を提供する。非常に高いコントラスト及びアドレス指定する深さは、各々のチャンネルについて、イメージャの二つの段階によって、提供される。光の効率は、付加的なチャンネルによって偏光を再利用することを通じて、提供されることもある。３Ｄの性能を、観察者の異なる目を対象とした異なるビデオ信号で第一のチャンネルのイメージャ及び第二のチャンネルのイメージャをアドレス指定することによって、提供することができる。また、イメージャの他に、第一のチャンネル及び第二のチャンネルは、立体的な投射に最小限の部分を提供する、同じ構成部品（即ち、照明系、偏光ビームスプリッター、リレーレンズ系、及び投射レンズ系）を利用することができる。
【００２５】
前述のものは、本発明を実施することについての可能性のいくつかを図説する。多くの他の実施形態が、本発明の範囲及び主旨内で可能である。例えば、図１及び２に図説された且つ上述された例示的な実施形態の第一のチャンネルのイメージャ１０、３０は、それぞれ、ｐ−偏光した光及びｓ−偏光した光を受けると共に、第二のチャンネルのイメージャ２０、４０は、それぞれ、ｓ−偏光した光及びｐ−偏光した光を受ける。しかしながら、偏光を、イメージャの位置を交換することによって、本発明の範囲内で逆にしてもよい。従って、前述の記述が、限定することよりもむしろ実例となるものとみなされることが、及び、本発明の範囲が、添付した特許請求の範囲によって、均等物のそれらの最大限の範囲と一緒に、与えられることが、意図される。
【００２６】
［関連出願の相互参照］
この出願は、ここではその全体の参照によって組み込まれる、２００２年１２月４日に出願された“ＨＩＧＨ  ＣＯＮＴＲＡＳＴ  ＳＴＥＲＥＯＳＣＯＰＩＣ  ＰＲＯＪＥＣＴＩＯＮ  ＳＹＳＴＥＭ”と題された米国仮特許出願第６０／４３０，８９６号（代理人による整理番号ＰＵ０２０４７２）の利益を請求する。
［付記］
付記（１）：
立体投射系であって、
当該立体投射系は、第一チャンネルの第一段階のイメージャ及び第二チャンネルの第一段階のイメージャを含み、各々は、該イメージャの各々のピクセルに提供されたグレースケールの値に比例してピクセル毎の基準で、偏光した光の入力を変調するように、該光の偏光を回転させるように、及び、変調された光のピクセルのマトリックスを反射させるように構成され、
当該立体投射系は、第一チャンネルの第二段階のイメージャ及び第二チャンネルの第二段階のイメージャを含み、各々は、該イメージャの各々のピクセルに提供されたグレースケールの値に比例してピクセル毎の基準で、光の変調されたピクセルのマトリックスを変調するように、該光の偏光を回転させるように、及び、二回変調された光のピクセルのマトリックスを反射させるように構成され、
当該立体投射系は、該第二の段階のイメージャの対応するピクセル上へ、ピクセル毎の基準で、該第一の段階のイメージャからの該変調された光のピクセルのマトリックスを集束させるように構成されるリレーレンズ系、
反対に偏光した光の入力の中へ光の入力を偏光させるように、それぞれ該反対に偏光した光の入力を第一チャンネルの第一段階のイメージャ及び第二チャンネルの第一段階のイメージャへ方向けるように、並びに該第一チャンネルの第一段階のイメージャ及び第二チャンネルの第一段階のイメージャから該変調された光のピクセルのマトリックスを該リレーレンズ系に方向付けるように構成される第一の偏光ビームスプリッター、並びに
それぞれ、該第一チャンネルの第一段階のイメージャ及び該第二チャンネルの第一段階のイメージャから、該第一チャンネルの第二段階のイメージャ及び該第二チャンネルの第二段階のイメージャへ、該変調された光のピクセルの反対に偏光したマトリックスを方向付けるように、並びに、該第二の段階のイメージャから投射レンズ系へ、該二回変調された光のピクセルのマトリックスを方向付けるように構成される、第二の偏光ビームスプリッター
を含む立体投射系。
付記（２）：
前記第一のチャンネルのイメージャ及び前記第二のチャンネルのイメージャは、当該立体投射系の明るさ及びコントラストを強調するために、同じ信号でアドレス指定される、付記（１）に記載の立体投射系。
付記（３）：
三次元の画像を提供するために、
前記第一のチャンネルのイメージャは、観察者の第一の目を対象としてビデオ信号でアドレス指定されると共に、
前記第二のチャンネルのイメージャは、該観察者の第二の目を対象としてビデオ信号でアドレス指定される、付記（１）に記載の立体投射系。
付記（４）：
前記第一のチャンネル及び前記第二のチャンネルからの前記画像を観察するために構成される反対に偏光させるレンズをさらに含む、付記（３）に記載の立体投射系。
付記（５）：
前記リレーレンズ系は、二重ガウスのリレーレンズの組みを含む、付記（１）に記載の立体投射系。
付記（６）：
立体投射系であって、
第一段階のＬＣＯＳイメージャ及び第二段階のＬＣＯＳイメージャを有する第一のチャンネル、
第一段階のＬＣＯＳイメージャ及び第二段階のＬＣＯＳイメージャを有する第二のチャンネル、
該第一チャンネルの第一段階のＬＣＯＳイメージャへ第一の偏光の光を方向付けると共に該第二チャンネルの第一段階のＬＣＯＳイメージャへ該第一の偏光と反対の第二の偏光の光を方向付けるように構成される第一の偏光ビームスプリッター、並びに
該第一チャンネルの第二段階のＬＣＯＳイメージャへ該第二の偏光の光を方向付けると共に該第二チャンネルの第二段階のＬＣＯＳイメージャへ該第一の偏光の光を方向付けるように構成される第二の偏光ビームスプリッター
を含む立体投射系。
付記（７）：
前記第一チャンネルのＬＣＯＳイメージャ及び前記第二チャンネルのＬＣＯＳイメージャは、強調された光の強度を備えた共通の画像を投射するために、同じビデオ信号でアドレス指定される、付記（６）に記載の立体投射系。
付記（８）：
前記第一チャンネルのＬＣＯＳイメージャ及び前記第二チャンネルのＬＣＯＳイメージャは、立体的な観察を提供するために、異なるビデオ信号でアドレス指定される、付記（６）に記載の立体投射系。
付記（９）：
ピクセル毎の基準で第一段階のＬＣＯＳイメージャ及び第二段階のＬＣＯＳイメージャの両方の出力を方向付けるリレーレンズ系をさらに含む、付記（６）に記載の立体投射系。
付記（１０）：
前記リレーレンズ系は、二重ガウスのリレーレンズの組みを含む、付記（９）に記載の立体投射系。
付記（１１）：
観察面へ前記第一のチャンネルの画像及び前記第二のチャンネルの画像の両方を投射するための投射レンズをさらに含む、付記（９）に記載の立体投射系。
付記（１２）：
前記第一の偏光ビームスプリッターへ無作為な極性の光を提供する照明系をさらに含む、付記（１１）に記載の立体投射系。
【図面の簡単な説明】
【００２７】
【図１】本発明の例示的な実施形態に係る立体投射系のブロック図を示す。
【図２】本発明の例示的な実施形態に係る図１の立体投射系による、二つの反対に偏光したチャンネルの二段階の変調を示す。
【図１】
0004461021.tif 000002
【図２】
0004461021.tif 000003